(57)【特許請求の範囲】
【請求項１】
表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置において、
黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するため、前記映像信号に対応する電圧の保持期間内に、前記閾値電圧と前記映像信号に対応する電圧の下限電圧との差電圧の絶対値以上の逆転移防止電圧が前記映像信号に対応する電圧に一時的に重畳されており、
互いに対向する一対の基板間に前記ＯＣＢ液晶層が挟持され、前記一対の基板の一方の内面に前記複数の画素に対応する画素電極が形成され、かつ前記一対の基板の他方の内面に対向電極が形成された上記映像の表示部を有し、  前記複数の画素の各々にスイッチング素子が設けられ、前記スイッチング素子がゲート線を通じて順次オン及びオフされることにより各画素において該オン時に前記映像信号が書き込まれるとともに該オフ時に該書き込まれた前記映像信号に対応する電圧が、前記ＯＣＢ液晶層を挟む前記画素電極と前記対向電極との間の液晶容量によって保持され、
前記ゲート線に所定の電圧が重畳されることによって、前記液晶容量とは別個に前記画素電極又は前記画素電極に接続された導電体と前記ゲート線との間に形成された制御容量を介して前記映像信号に対応する電圧に前記逆転移防止電圧が重畳される液晶表示装置。
【請求項２】
前記各ゲート線に重畳される所定の電圧が、互いに逆極性であるものを含む請求項１記載の液晶表示装置。
【請求項３】
表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置において、
黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するため、前記映像信号に対応する電圧の保持期間内に、前記閾値電圧と前記映像信号に対応する電圧の下限電圧との差電圧の絶対値以上の逆転移防止電圧が前記映像信号に対応する電圧に一時的に重畳されており、
互いに対向する一対の基板間に前記ＯＣＢ液晶層が挟持され、前記一対の基板の一方の内面に前記複数の画素に対応する画素電極が形成され、かつ前記一対の基板の他方の内面に対向電極が形成された上記映像の表示部を有し、  前記複数の画素の各々にスイッチング素子が設けられ、前記スイッチング素子がゲート線を通じて順次オン及びオフされることにより各画素において該オン時に前記映像信号が書き込まれるとともに該オフ時に該書き込まれた前記映像信号に対応する電圧が、前記ＯＣＢ液晶層を挟む前記画素電極と前記対向電極との間の液晶容量によって保持され、
共通線をさらに有し、前記共通線に所定の電圧が重畳されることによって、前記液晶容量とは別個に前記画素電極又は前記画素電極に接続された導電体と前記共通線との間に形成された制御容量を介して前記映像信号に対応する電圧に前記逆転移防止電圧が重畳される液晶表示装置。
【請求項４】
共通線をさらに有し、他の制御容量が前記共通線と前記画素電極又は前記画素電極に接続された導電体との間に形成され、前記共通線に他の所定の電圧が重畳されることによって、前記他の制御容量を介して前記映像信号に対応する電圧に他の逆転移防止電圧がさらに重畳される請求項１記載の液晶表示装置。
【請求項５】
表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置において、
黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するため、前記映像信号に対応する電圧の保持期間内に、前記閾値電圧と前記映像信号に対応する電圧の下限電圧との差電圧の絶対値以上の逆転移防止電圧が前記映像信号に対応する電圧に一時的に重畳されており、
互いに対向する一対の基板間に前記ＯＣＢ液晶層が挟持され、前記一対の基板の一方の内面に、スイッチング素子が設けられた前記複数の画素に対応する画素電極が形成され、かつ前記一対の基板の他方の内面に対向電極が形成された上記映像の表示部を有し、
少なくとも前記ＯＣＢ液晶層を挟む前記画素電極と前記対向電極との間の液晶容量によって、前記スイッチング素子がゲート線を通じて順次オンされることにより各画素において書き込まれた前記映像信号に対応する電圧が、前記スイッチング素子のオフ時に保持され、
前記対向電極の電位を一時的に変化させることによって前記液晶容量を介して前記逆転移防止電圧が前記映像信号に対応する電圧に重畳される液晶表示装置。
【請求項６】
前記逆転移防止電圧が、前記映像信号のフレーム期間における時間軸上の一定位置に位置する重畳期間に渡って重畳されることを特徴とする請求項１記載の液晶表示装置。
【請求項７】
前記ＯＣＢ液晶層の変調度に応じてその透過率が変化させられる表示用の光を供給する照明装置を有し、
前記照明装置が、前記重畳期間に合わせて表示用の光の供給量を減少させるものである請求項６記載の液晶表示装置。
【請求項８】
前記重畳期間が、前記映像信号のブランキング期間内に位置する請求項６記載の液晶表示装置。
【請求項９】
前記逆転移防止電圧を重畳する期間が、前記映像信号のフレーム期間の１０％以上である請求項１記載の液晶表示装置。
【請求項１０】
前記逆転移防止電圧を重畳する期間が、前記映像信号のフレーム期間の５０％以上である請求項９記載の液晶表示装置。
【請求項１１】
表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置の駆動方法であり、互いに対向する一対の基板間に前記液晶層が挟持され、前記一対の基板の一方の内面に前記複数の画素に対応する画素電極が形成され、かつ前記一対の基板の他方の内面に対向電極が形成された上記映像の表示部を有し、前記複数の画素の各々にスイッチング素子が設けられ、前記スイッチング素子がゲート線を通じて順次オン及びオフされることにより各画素において該オン時に前記映像信号が書き込まれるとともに該オフ時に該書き込まれた映像信号に対応する電圧が、前記液晶層を挟む前記画素電極と前記対向電極との間の液晶容量によって保持される液晶表示装置の駆動方法であって、黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するよう、前記映像信号に対応する電圧の保持期間内に、前記閾値電圧と前記映像信号に対応する電圧の下限電圧との差電圧の絶対値以上の逆転移防止電圧を前記映像信号に対応する電圧に一時的に重畳する際に
前記ゲート線に所定の電圧を重畳することによって、前記液晶容量とは別個に前記画素電極又は前記画素電極に接続された導電体と前記ゲート線との間に形成された制御容量を介して前記映像信号に対応する電圧に前記逆転移防止電圧を重畳する液晶表示装置の駆動方法。
【請求項１２】
前記各ゲート線に重畳される所定の電圧が、互いに逆極性であるものを含む請求項１１記載の液晶表示装置の駆動方法。
【請求項１３】
表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置の駆動方法であり、互いに対向する一対の基板間に前記ＯＣＢ液晶層が挟持され、前記一対の基板の一方の内面に、スイッチング素子が設けられた前記複数の画素に対応する画素電極が形成され、かつ前記一対の基板の他方の内面に対向電極が形成された前記映像の表示部を有し、少なくとも前記ＯＣＢ液晶層を挟む前記画素電極と前記対向電極との間の液晶容量によって、前記スイッチング素子がゲート線を通じて順次オンされることにより各画素において書き込まれた前記映像信号に対応する電圧が、前記スイッチング素子のオフ時に保持され、共通線をさらに有する液晶表示装置の駆動方法であって、黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するよう、前記映像信号に対応する電圧の保持期間内に、前記閾値電圧と前記映像信号に対応する電圧の下限電圧との差電圧の絶対値以上の逆転移防止電圧を前記映像信号に対応する電圧に一時的に重畳する際に、
前記共通線に所定の電圧を重畳することによって、前記液晶容量とは別個に前記画素電極又は前記画素電極に接続された導電体と前記共通線との間に形成された制御容量を介して前記映像信号に対応する電圧に前記逆転移防止電圧を重畳する液晶表示装置の駆動方法。
【請求項１４】
共通線をさらに有し、他の制御容量が前記共通線と前記画素電極又は前記画素電極に接続された導電体との間に形成された液晶表示装置の駆動方法であって、前記共通線に他の所定の電圧を重畳することによって、前記他の制御容量を介して前記映像信号に対応する電圧に他の逆転移防止電圧をさらに重畳する請求項１１記載の液晶表示装置の駆動方法。
【請求項１５】
表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置の駆動方法であり、互いに対向する一対の基板間に前記ＯＣＢ液晶層が挟持され、前記一対の基板の一方の内面に、スイッチング素子が設けられた前記複数の画素に対応する画素電極が形成され、かつ前記一対の基板の他方の内面に対向電極が形成された上記映像の表示部を有し、少なくとも前記ＯＣＢ液晶層を挟む前記画素電極と前記対向電極との間の液晶容量によって、前記スイッチング素子がゲート線を通じて順次オンされることにより各画素において書き込まれた前記映像信号に対応する電圧が、前記スイッチング素子のオフ時に保持される液晶表示装置の駆動方法であって、黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するよう、前記映像信号に対応する電圧の保持期間内に、前記閾値電圧と前記映像信号に対応する電圧の下限電圧との差電圧の絶対値以上の逆転移防止電圧を前記映像信号に対応する電圧に一時的に重畳する際に
前記対向電極の電位を一時的に変化させることによって前記液晶容量を介して前記逆転移防止電圧を前記映像信号に対応する電圧に重畳する液晶表示装置の駆動方法。
【請求項１６】
前記逆転移防止電圧が、前記映像信号のフレーム期間における時間軸上の一定位置に位置する重畳期間に渡って重畳されることを特徴とする請求項１１記載の液晶表示装置の駆動方法。
【請求項１７】
前記液晶表示装置が前記ＯＣＢ液晶層の変調度に応じてその透過率が変化させられる表示用の光を供給する照明装置を有し、
前記照明装置が、前記重畳期間に合わせて表示用の光の供給量を減少させるものである請求項１６記載の液晶表示装置の駆動方法。
【請求項１８】
前記重畳期間が、前記映像信号のブランキング期間内に位置する請求項１６記載の液晶表示装置の駆動方法。
【請求項１９】
前記逆転移防止電圧を重畳する期間が、前記映像信号のフレーム期間の１０％以上である請求項１１記載の液晶表示装置の駆動方法。
【請求項２０】
前記逆転移防止電圧を重畳する期間が、前記映像信号のフレーム期間の５０％以上である請求項１９記載の液晶表示装置の駆動方法。
【発明の詳細な説明】
【０００１】
【発明の属する技術分野】
本発明は、液晶表示装置の駆動方法及び液晶表示装置に関し、特に、非表示時とは異なるベント配向状態に遷移させて表示を行うＯＣＢ液晶モードを用いた液晶表示装置及びその駆動方法に関する。
【０００２】
【従来の技術】
液晶表示装置は、ノートブック型パソコンに始まり、現在ではデスクトップ型パソコンや携帯電話のディスプレイに使用されている。さらに、近年ではこれらに加えて液晶ＴＶへの応用が始まっている。しかしながら、現在広く使用されているＴＮ（Ｔｗｉｓｔｅｄ  Ｎｅｍａｔｉｃ）液晶モードは視野角や応答速度などの面で、特にＴＶ用途としては動画表示性能に多くの課題が残る。
【０００３】
そこで、近年ではＴＮ液晶モードに変わる液晶モードとして、ＯＣＢ（Ｏｐｔｉｃａｌｌｙ  ｓｅｌｆ−Ｃｏｍｐｅｎｓａｔｅｄ  Ｂｉｒｅｆｒｉｎｇｅｎｃｅ  ）液晶モードの研究が盛んになっている。ＯＣＢ液晶モードはＴＮ液晶モードと較べて、視野角も広く、応答速度も速いことから動画表示により適した液晶モードといえる。ただし、ＯＣＢ液晶モードは映像表示を行う前に独自の駆動が必要である。つまり、ＯＣＢ液晶モードでは映像表示が可能なベンド配向（図２（ｂ），（ｃ）参照）と、映像表示が不可能なスプレイ配向の二つの配向状態（図２（ａ）参照）があり、スプレイ配向にあるＯＣＢ液晶をベンド配向に移行させる（以下、この現象を転移と呼ぶ）には、液晶層に一定時間高電圧（例えば約２５Ｖ）を印加するなどの特別な駆動が必要である。但し、転移に関する駆動は本発明とは直接関係がないので詳細な説明は省略する。
【０００４】
【発明が解決しようとする課題】
しかしながら、ＯＣＢ液晶はスプレイ配向からベンド配向に転移しても一定時間以上、所定のレベル以上の電圧（例えば約２．１Ｖ）が液晶層に印加されない状態が続くと、ベンド配向を維持することができずにスプレイ配向に戻ってしまう現象（以下、この現象を逆転移と呼ぶ）が起こるという問題があった。
【０００５】
なお、現時点では、非表示時（電圧無印加時）と異なる配向状態に転移させて表示を行う液晶モードはＯＣＢ液晶モードだけであるので、このような問題はＯＣＢ液晶モードにしか生じないが、将来、ＯＣＢ液晶モードと同様に非表示時と異なる配向状態に転移させて表示を行う液晶モードが開発されれば、そのような液晶モードにも同様の問題が生じる。
【０００６】
本発明は、非表示時とは異なる配向状態に転移させて表示を行う液晶モードを採用する場合に、逆転移の発生を抑制しつつ映像表示が可能な液晶表示装置の駆動方法及び液晶表示装置を提供することを目的としている。
【０００７】
【課題を解決するための手段】
前記課題を解決するために本発明に係る液晶表示装置の駆動方法及び液晶表示装置は、表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置において、黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するため、前記映像信号に対応する電圧の保持期間内に、前記閾値電圧と前記映像信号に対応する電圧の下限電圧との差電圧の絶対値以上の逆転移防止電圧が前記映像信号に対応する電圧に一時的に重畳されており、互いに対向する一対の基板間に前記ＯＣＢ液晶層が挟持され、前記一対の基板の一方の内面に前記複数の画素に対応する画素電極が形成され、かつ前記一対の基板の他方の内面に対向電極が形成された上記映像の表示部を有し、  前記複数の画素の各々にスイッチング素子が設けられ、前記スイッチング素子がゲート線を通じて順次オン及びオフされることにより各画素において該オン時に前記映像信号が書き込まれるとともに該オフ時に該書き込まれた前記映像信号に対応する電圧が、前記ＯＣＢ液晶層を挟む前記画素電極と前記対向電極との間の液晶容量によって保持され、前記ゲート線に所定の電圧が重畳されることによって、前記液晶容量とは別個に前記画素電極又は前記画素電極に接続された導電体と前記ゲート線との間に形成された制御容量を介して前記映像信号に対応する電圧に前記逆転移防止電圧が重畳されるものである（請求項１、１１）。かかる構成とすると、非表示とは異なるベンド配向状態において、逆転移の発生を抑制しつつ映像を表示することができる。また、前記閾値電圧と前記映像信号に対応する電圧の下限電圧との差電圧の絶対値以上の逆転移防止電圧を前記映像信号に対応する電圧に一時的に重畳することにより、確実にＯＣＢ液晶層の逆転移を防止することができる。また、かかる構成にすると、簡単な構成で逆転移防止電圧を映像信号に対応する電圧に重畳することができ、より詳しくはゲート線を利用して逆転移防止電圧を重畳できる。
【００１１】
また、前記各ゲート線に重畳される所定の電圧が、互いに逆極性であるものを含むようにしてもよい（請求項２、１２）。かかる構成とすると、画素電圧の極性などによる対向電極への電圧カップリングの影響を低減することができる。
【００１２】
また、前記逆転移防止電圧をΔＶd、前記液晶容量の容量をＣlc、前記制御容量の容量をＣst、前記スイッチング素子の寄生容量をＣgdとすると、前記ゲート線に重畳される所定の電圧が、Ｃlc＋Ｃst＋Ｃgd）／Ｃst×ΔＶdであるとしてもよい。かかる構成とすると、所望の逆転移防止電圧を適切に設定することができる。
【００１３】
また、前記複数の画素がマトリクス状に形成され、前記複数の画素の行又は列毎に前記ゲート線が形成されるとともに前記複数の画素の列又は行毎にソース線が形成され、前記各画素は各々のスイッチング素子を介して対応する前記ソース線に接続されるとともに各々のスイッチング素子の制御端子が対応する前記ゲート線に接続され、前記各画素のスイッチング素子の前記ゲート線毎の順次オン動作にタイミングを合わせて前記ソース線を通じて前記映像信号が各画素に供給されるものとしてもよい。
【００１４】
また、前記所定の電圧が各ゲート線単位で重畳されるものとしてもよい。
【００１５】
また、前記所定の電圧が複数の前記ゲート線単位で重畳されるものとしてもよい。かかる構成とすると、ゲート線の駆動回路の構成を簡素化することができる。
【００１６】
また、前記複数のゲート線が、連続する画素の行又は列に対応するものであるとしてもよい。
【００１７】
また、前記スイッチング素子が薄膜トランジスタからなるものとしてもよい。
【００１９】
本発明に係る液晶表示装置の駆動方法及び液晶表示装置は、表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置において、黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するため、前記映像信号に対応する電圧の保持期間内に、前記閾値電圧と前記映像信号に対応する電圧の下限電圧との差電圧の絶対値以上の逆転移防止電圧が前記映像信号に対応する電圧に一時的に重畳されており、互いに対向する一対の基板間に前記ＯＣＢ液晶層が挟持され、前記一対の基板の一方の内面に前記複数の画素に対応する画素電極が形成され、かつ前記一対の基板の他方の内面に対向電極が形成された前記映像の表示部を有し、  前記複数の画素の各々にスイッチング素子が設けられ、前記スイッチング素子がゲート線を通じて順次オン及びオフされることにより各画素において該オン時に前記映像信号が書き込まれるとともに該オフ時に該書き込まれた前記映像信号に対応する電圧が、前記ＯＣＢ液晶層を挟む前記画素電極と前記対向電極との間の液晶容量によって保持され、共通線をさらに有し、前記共通線に所定の電圧が重畳されることによって、前記液晶容量とは別個に前記画素電極又は前記画素電極に接続された導電体と前記共通線との間に形成された制御容量を介して前記映像信号に対応する電圧に前記逆転移防止電圧が重畳されるものである（請求項３、１３）。かかる構成としても、簡単な構成で逆転移防止電圧を重畳することができる。
【００２０】
また、前記逆転移防止電圧をΔＶd、前記液晶容量の容量をＣlc、前記制御容量の容量をＣst、前記スイッチング素子の寄生容量をＣgdとすると、前記共通線に重畳される所定の電圧は、（Ｃlc＋Ｃst＋Ｃgd）／Ｃst×ΔＶdとなり得る。かかる構成とすると、所望の逆転移防止電圧を適切に設定することができる。
【００２１】
また、前記共通線が前記画素の行又は列毎に形成され、前記所定の電圧が各共通線単位で重畳されるものとしてもよい。
【００２２】
また、前記共通線が前記画素の行又は列毎に形成され、前記所定の電圧が複数の前記共通線単位で重畳されるものとしてもよい。かかる構成とすると、共通線を駆動する回路の構成を簡素化することができる。
【００２３】
また、前記複数の共通線が、連続する画素の行又は列に対応するものであるとしてもよい。
【００２４】
共通線をさらに有し、他の制御容量が前記共通線と前記画素電極又は前記画素電極に接続された導電体との間に形成され、前記共通線に他の所定の電圧が重畳されることによって、前記他の制御容量を介して前記映像信号に対応する電圧に他の逆転移防止電圧がさらに重畳されるものとしてもよい（請求項４、１４）。かかる構成とすると、２つの逆転移防止電圧が少なくとも部分的に重なり合っているときには、より高い電圧を映像信号に応じた電圧に重畳することができるので、ゲート線の駆動回路や共通線の駆動回路の耐圧が低い場合に有効に逆転移を防止することができる。
【００２５】
また、前記逆転移防止電圧及び前記他の逆転移防止電圧の少なくともいずれかが重畳されるものとしてもよい。
【００２６】
また、前記逆転移防止電圧及び前記他の逆転移防止電圧の双方が重畳されるものとしてもよい。
【００２７】
また、前記逆転移防止電圧をΔＶd1、前記他の逆転移防止電圧をΔＶd2、前記制御容量の容量をＣst1、前記他の制御容量の容量をＣst2としたとき、前記映像信号に応じた電圧に重畳される総逆転移防止電圧ΔＶdは、
ΔＶd＝ΔＶd1＋ΔＶd2
となり得、前記ゲート線に重畳される所定の電圧は、
（Ｃlc＋Ｃst1＋Ｃgd）／Ｃst1×ΔＶd1となり得、かつ前記共通線に重畳される他の所定の電圧は、
（Ｃlc＋Ｃst2＋Ｃgd）／Ｃst2×ΔＶd2となり得る。かかる構成とすると、２つの逆転移防止電圧を所望のものに適切に設定することができる。
【００２８】
本発明に係る液晶表示装置の駆動方法及び液晶表示装置は、表示用のベンド配向状態と非表示用のスプレイ配向状態を有するＯＣＢ液晶層と、複数の画素とを有し、前記複数の画素に映像信号がフレーム毎に順次書き込まれて各画素に前記映像信号に対応する電圧が保持され、前記保持された電圧に応じて前記ＯＣＢ液晶層の変調度が制御されて映像が表示される液晶表示装置において、黒表示電圧と白表示電圧との間に存在する閾値電圧よりも小さい前記映像信号に対応する電圧を一定期間以上、前記ＯＣＢ液晶層に印加することに起因して前記表示用のベンド配向状態から前記非表示用のスプレイ配向状態に移行する逆転移を防止するため、前記映像信号に対応する電圧の保持期間内に、前記閾値電圧と前記映像信号に対応する電圧の下限電圧との差電圧の絶対値以上の逆転移防止電圧が前記映像信号に対応する電圧に一時的に重畳されており、互いに対向する一対の基板間に前記ＯＣＢ液晶層が挟持され、前記一対の基板の一方の内面に、スイッチング素子が設けられた前記複数の画素に対応する画素電極が形成され、かつ前記一対の基板の他方の内面に対向電極が形成された上記映像の表示部を有し、少なくとも前記液晶層を挟む前記画素電極と前記対向電極との間の液晶容量によって、前記スイッチング素子がゲート線を通じて順次オンされることにより各画素において書き込まれた前記映像信号に対応する電圧が、前記スイッチング素子のオフ時に保持され、前記対向電極の電位を一時的に変化させることによって前記液晶容量を介して前記逆転移防止電圧を前記映像信号に対応する電圧に重畳するものである（請求項５、１５）。かかる構成とすると、簡単な構成で逆転移防止電圧を重畳することができる。
【００２９】
また、前記対向電極が前記複数の画素の所定のグループ毎に形成されてなるものとしてもよい。かかる構成とすると、対向電極の電位を画素の所定のグループ毎に制御することにより、そのグループ毎に異なった逆転移防止電圧を設定することができる。
【００３０】
また、前記逆転移防止電圧が、前記映像信号のフレーム期間における時間軸上の一定位置に位置する重畳期間に渡って重畳されるものとしてもよい（請求項６、１６）。かかる構成とすると、全画素において同時に逆転移防止電圧を重畳することができる。そのため、例えば、その重畳期間に合わせて表示用の光を暗くすることによりシャープな映像表示を得ることができる。
【００３１】
また、前記液晶表示装置が前記ＯＣＢ液晶層の変調度に応じてその透過率が変化させられる表示用の光を供給する照明装置を有し、前記照明装置が、前記重畳期間に合わせて表示用の光の供給量を減少させるものであるとしてもよい（請求項７、１７）。かかる構成とすると、映像表示時と重畳期間との間のコントラスト比が向上するので、シャープな映像表示を得ることができる。
【００３２】
また、前記重畳期間が、前記映像信号のブランキング期間内に位置するものとしてもよい（請求項８、１８）。かかる構成とすると、映像表示に支障を来たすことなく逆転移防止電圧を重畳することができる。
【００３３】
また、前記映像の表示がノーマリホワイトモードに設定され、前記逆転移防止電圧の重畳中における前記液晶層に印加される電圧の取り得る電圧範囲が、黒表示電圧以上の電圧範囲を含むものとしてもよい。かかる構成とすると、液晶層に印加される電圧が、黒表示電圧以上となった場合に、動画の切れが向上する。
【００３４】
また、前記映像の表示がノーマリブラックモードに設定され、前記逆転移防止電圧の重畳中における前記液晶層に印加される電圧の取り得る電圧範囲が、白表示電圧以上の電圧範囲を含むものとしてもよい。かかる構成としても、液晶層に印加される電圧が、白表示電圧以上となった場合に、動画の切れが向上する。
【００３６】
また、前記逆転移防止電圧を重畳する期間が、前記映像信号のフレーム期間の１０％以上であるとしてもよい（請求項９、１９）。かかる構成とすると、好ましい映像表示が得られる。
【００３７】
また、前記逆転移防止電圧を重畳する期間が、前記映像信号のフレーム期間の５０％以上であるとしてもよい（請求項１０、２０）。かかる構成とすると、動画ボケを防止することができる。
【００３９】
【発明の実施の形態】
以下、本発明の実施の形態を図面を参照しながら説明する。
実施の形態１
図１は本発明の実施の形態１に係る液晶表示装置の構成を示す機能ブロック図、図２は図１の液晶表示装置の液晶パネルの構成及び液晶の配向状態を示す断面図であって、（ａ）は無電圧下における配向状態を示す図、（ｂ）は表示時の下限電圧下における配向状態を示す図、（ｃ）は表示時の上限電圧下における配向状態を示す図、図３は図１の液晶表示装置の液晶パネルの構成を示す平面図、図４は図３のＩＶ−ＩＶ断面図である。
【００４０】
図１に示すように、本実施の形態に係る液晶表示装置１００は、表示部を構成する液晶パネル２００と、液晶パネル２００を駆動するゲートドライバ１０２及びソースドライバ１０３と、ゲートドライバ１０２及びソースドライバ１０３を制御する駆動制御部１０１と、液晶パネル２００の後述する対向電極Ｃｎｔｘの電位を制御する対向電圧制御部１０６と、液晶パネル２００に表示用の光を供給するバックライト１０５と、バックライト１０５の輝度を制御するバックライト輝度制御部１０４と、図示されない転移電圧印加回路とを備えている。
【００４１】
図２〜図４を併せて参照すると、液晶パネル２００には、画素１がマトリクス状に形成され、このマトリクス状に形成された画素１の全体が表示画面を構成している。本実施の形態では、画素１がｎ行ｍ列のマトリクスに形成されているものとし、画素１の行及び列に対応する構造体、信号等のうち、任意のものを表す場合にはそれらを示す符号にそれぞれｘ及びｙの添え字を付して表す。この場合、ｘ及びｙは、それぞれ、１≦ｘ≦ｎ、１≦ｙ≦ｍの値を取るものとする。
【００４２】
図２に示すように、液晶パネル２００は、互いに対向する対向基板２０１とＴＦＴ基板２０２との間に液晶層２１０が挟持され、両基板２０１，２０２の外側に位相差板２０３，２０４及び偏光板２０５，２０６がこの順にそれぞれ配設されて構成されている。
【００４３】
ＴＦＴ基板２０２は、図４に示すように、断面視においては、大略、ガラス基板３の内面にゲート線Ｇｘ、絶縁層４、画素電極２及びソース線Ｓｙ、並びに配向膜（図示せず）等がこの順に積層されるように形成されるとともにゲート線Ｇｘ、ソース線Ｓｙ及び画素電極２に接続されるようにスイッチング素子としてのＴＦＴ（Ｔｈｉｎ  Ｆｉｌｍ  Ｔｒａｎｓｉｓｔｏｒ：図４には示さず）が形成されて構成されている。そして、ＴＦＴ基板２０２は、図１及び図３に示すように、平面視においては、ｎ本のゲート線Ｇ１〜Ｇｎとｍ本のソース線Ｓ１〜Ｓｍとが互いに直交するように形成され、このゲート線Ｇ１〜Ｇｎとソース線Ｓ１〜Ｓｍとによって区画されるようにしてｎ行ｍ列の画素１が形成されている。そして、各画素１毎に、各画素１に対応するゲート線Ｇｘ及びソース線Ｓｙの互いの交差点近傍にＴＦＴ１０が形成されている。ＴＦＴ１０は、ソース、ドレイン、及びゲートが、それぞれ、ソース線Ｓｙ、画素電極２、及びゲート線Ｇｘに接続されている。また、画素電極２の一部が、絶縁層４を介して（図４参照）前行の画素１に対応するゲート線Ｇｘ−１に重なるように形成され、この部分に蓄積容量（制御容量）３０が形成されている。ここで、以下、「〜行の画素に対応するゲート線」を「〜段のゲート線」と略記する。また、「〜行又は〜列の画素に対応する〜」を「〜行又は〜列の〜」と略記する。そして、ゲート線Ｇ０〜Ｇｎ、ソース線Ｓ１〜Ｓｍ、及び対向電極Ｃｎｔ１〜Ｃｎｔｎが、それぞれ、ゲートドライバ１０２、ソースドライバ１０３、及び対向電圧制御部１０６に接続されている。なお、ゲート線Ｇ０は第１行の画素電極２との間に後述する蓄積容量を形成するために設けられたものである。
【００４４】
一方、対向基板２０１は、大略、ガラス基板（図示せず）の内面に対向電極Ｃｎｔ１〜Ｃｎｔｎ（図１参照）及び配向膜（図示せず）等が順に積層形成されて構成されている。図１では、対向電極Ｃｎｔ１〜Ｃｎｔｎは、ＴＦＴ基板２０２のマトリクス状の画素電極２の行に対応するように帯状にｎ本形成されているように描かれているが、実際には一方のガラス基板のほぼ全面に設けられている。
【００４５】
次に、以上のように構成された液晶表示装置１００の動作（駆動方法）を説明する。
【００４６】
図１〜図４において、まず、液晶表示装置１００が停止状態にあるときは、図２（ａ）に示すように、液晶層２１０は液晶分子２１０ａがスプレイ配向をしている。そして、液晶表示装置１００を始動すると、図示されない転移電圧印加回路により、液晶層２１０に所定の電圧（約２５Ｖ）が所定時間印加され、液晶層２１０が図２（ｂ），（ｃ）に示すようなベンド配向に転移する。そして、液晶層２１０は、表示時における下限電圧下では図２（ｂ）に示すように液晶分子２１０ａが比較的湾曲した状態になり、表示時における上限電圧下では図２（ｃ）に示すよう液晶分子２１０ａが比較的立った状態になる。本実施の形態では、ノーマリホワイトモードを採用しているので、白表示及び黒表示時に、それぞれ、図２（ｂ）及び図２（ｃ）に示す状態になる。なお、ノーマリブラックモードの場合はこの逆になる。そして、このベンド配向の状態において、一定期間以上一定の電圧（通常、約２．１Ｖ）が印加されないと、スプレイ配向に逆転移する。
【００４７】
そして、このように液晶層２１０がベンド配向に転移した後、駆動制御部１０１に制御されて、ゲートドライバ１０２及びソースドライバ１０３が以下のように動作する。また、その間、対向電圧制御部１０６が対向電極Ｃｎｔ１〜Ｃｎｔｎの電位を所定値に制御し、バックライト輝度制御部１０４がバックライト１０５から液晶パネル２００に供給する光の輝度（正確には光量）を所定値に制御する。
【００４８】
すなわち、ゲートドライバ１０２が、ゲート線Ｇ１〜Ｇｎを通じてゲート信号を出力して、画素１のＴＦＴ１０をゲート線Ｇｘ毎に順次オンする。一方、ソースドライバ１０３は、映像信号１１０に基づいてソース信号を生成し、これをゲート信号にタイミングを合わせて、ソース線Ｓ１〜Ｓｍを通じて出力する。これにより、各画素１の画素電極２がソース信号に対応する電位に順次充電され、液晶層２１０が画素１毎に画素電極２の電位と対向電極Ｃｎｔｘの電位との差電圧（以下、液晶印加電圧という）に応じて変調され、バックライト１０５から供給される光に対する液晶パネル２００の透過率が画素１毎にこの変調の程度に応じて変化する。そして、以上の動作が映像信号１１０のフレーム毎に繰り返されることにより、液晶パネル２００の表示画面に映像信号１１０に応じた映像が表示される。なお、以下、画素１の画素電極２がソース信号の電位に対応する電位に充電されることを、画素電極２にソース信号が書き込まれると表現する。
【００４９】
次に、図１〜図６を用いて、この動作を詳しく説明する。図５は図１の液晶表示装置におけるゲート信号、画素電極、及び対向電極の電位の変化を示す波形図、図６は逆転移防止電圧を説明するための図であって、（ａ）は画素における信号系統の等価回路を示す回路図、（ｂ）はゲート信号における重畳電圧と画素電極に重畳される電圧との関係を示すタイミングチャート、（ｃ）はノーマリホワイトモードにおける液晶印加電圧に対する液晶パネルの透過率の変化を示すグラフ、（ｄ）はノーマリブラックモードにおける液晶印加電圧に対する液晶パネルの透過率の変化を示すグラフである。
【００５０】
ゲートドライバ１０２は、図５に示すようなゲート信号Ｖｇ１〜Ｖｇｎを、それぞれ、ゲート線Ｇ１〜Ｇｎに出力する。なお、ゲート線Ｇ０にはゲート信号Ｖｇｎと同じ信号が出力される。図５において、符号Ｔｆは映像信号１１０におけるフレーム期間（フレーム周波数ｆｒの逆数）を示す。対向電極Ｃｎｔ１〜Ｃｎｔｎの電位（以下、対向電圧という）Ｖｃｎｔ１〜Ｖｃｎｔｎは、所定の一定値となるように設定されている。そして、図示されないソース信号は、ここでは、フレーム期間Ｔｆ毎に対向電圧Ｖｃｎｔ１〜Ｖｃｎｔｎとの相対的な極性（ソース信号の電圧と対向電圧Ｖｃｎｔ１〜Ｖｃｎｔｎとの差電圧、すなわち液晶印加電圧の極性：以下、単にソース信号の極性という）が反転させられている。以下、このソース信号が正及び負の極性になるフレーム期間を、それぞれ、正フレーム期間及び負フレーム期間という。
【００５１】
ゲート信号Ｖｇ１〜Ｖｇｎは、書き込み期間ＴｗにＶｇｏｎ、正フレームにおける重畳期間ＴａｒにＶｇａｒ’、負フレームにおける重畳期間ＴａｒにＶｇａｒ”、保持期間Ｔｈの重畳期間Ｔａｒ以外の期間にＶｇｏｆｆの値を取る４値信号からなっている。書き込み期間Ｔｗは、ここでは、フレーム期間Ｔｆを画素の行数ｎに等分した長さに設定されている。そして、各ゲート信号Ｖｇ１〜Ｖｇｎは、時間軸上におけるその書き込み期間Ｔｗの位置が、その対応する画素の行の順番が大きくなるにつれて、フレーム期間Ｔｆの先頭から書き込み期間Ｔｗの幅づつ後方にずれていくように設定されている。そして、フレーム期間Ｔｆからこの書き込み期間Ｔｗを除いた残りの期間が保持期間Ｔｈとなっている。そして、この保持期間Ｔｈ内に所定長に渡って重畳期間Ｔａｒが設定されている。この重畳期間Ｔａｒは保持期間Ｔｈ内であればその時間軸上の位置は任意であるが、ここでは、保持期間Ｔｈの時間軸上の略中央に位置するように設定されている。一方、ゲート信号Ｖｇ１〜Ｖｇｎの電圧値Ｖｇｏｎ及びＶｇｏｆｆは、ＴＦＴ１０が、それぞれ、オン（導通）及びオフ（遮断）する値に設定されている。以下、このＶｇｏｎ及びＶｇｏｆｆを、それぞれ、ゲートオン電圧及びゲートオフ電圧と呼ぶ。また、ゲート信号Ｖｇ１〜Ｖｇｎの電圧値Ｖａｒ’及びＶａｒ”は、それぞれ、ゲートオフ電圧Ｖｇｏｆｆより重畳電圧Ｖａｒだけ高い値及びゲートオフ電圧Ｖｇｏｆｆより重畳電圧Ｖａｒだけ低い値に設定され、かつ共にＴＦＴ１０がオンしないような値に設定されている。ここで、各電圧波形の具体例を示すと、例えば、画素電圧Ｖｄｘ（ソース信号の電圧）の最大値及び最小値はそれぞれ５Ｖ及び−５Ｖ、対向電圧Ｖｃｎｔｘは０Ｖ、ゲート信号Ｖｇｘのゲートオン電圧Ｖｇｏｎ及びゲートオフ電圧Ｖｇｏｆｆはそれぞれ１０Ｖ及び−１０Ｖ、重畳電圧Ｖａｒは６Ｖに設定される。また、フレーム期間Ｔｆは１６．６ｍｓであり、書き込み期間Ｔｗは数十μｓに設定される。また、重畳期間Ｔａｒは、後述する、画素電圧に重畳される電圧ΔＶに応じて適宜設定される。
【００５２】
このような設定により、ゲートドライバ１０２からゲート信号Ｖｇ１〜Ｖｇｎがゲート線Ｇ１〜Ｇｎに出力されると、ｎ行ｍ列の画素１において、ＴＦＴ１０が、フレーム期間Ｔｆ毎に、列単位で行の順番に書き込み期間Ｔｗだけ順次オンする。そして、この各画素１におけるＴＦＴ１０のオン期間（書き込み期間Ｔｗ）にタイミングを合わせて、ソースドライバ１０３から画素１の列毎にソース信号が出力され、そのソース信号がＴＦＴ１０のオン期間に各画素１の画素電極２に書き込まれ、各画素１の画素電極２の電位（以下、画素電圧という）Ｖｄ１〜Ｖｄｎがそのソース信号の電位に略等しいものとなる。そして、各画素１において、書き込み期間Ｔｗが終了し、ＴＦＴ１０がオフするとその時点における画素電圧Ｖｄ１〜Ｖｄｎが保持される。なお、一般にソース信号、ひいては画素電圧Ｖｄｘは表示映像に依存した複雑な波形となるが、ここでは、簡略化のため逆転移が起こり得る一定電圧が印加されているものと仮定する。さらに、画素電圧Ｖｄｘには、ＴＦＴ１０のスイッチングに伴う当該段のゲート信号Ｖｇｘの変化によって、突き抜けと呼ばれる変化が生じるが、この説明は省略する。
【００５３】
次に、本発明の特徴である逆転移防止電圧について説明するが、これは全ての画素について同様であるので、任意の１つの画素に着目してこれを説明する。第ｘ行の画素１において、ＴＦＴ１０がオフした後、重畳期間Ｔｆが到来すると、前段のゲート信号Ｖｇｘ−１が重畳電圧Ｖａｒだけ変化してＶａｒ’又はＶａｒ”になる（図６（ｂ）にはＶａｒ’になる場合を示している）。すると、図６（ｂ）に示すように、画素電圧Ｖｄが、蓄積容量３０を介してゲート信号Ｖｇｘ−１における重畳電圧Ｖａｒによる変化の影響を受けて変化する。この画素電圧Ｖｄｘの変化（以下、画素電極重畳電圧という）ΔＶｄは、以下のようになる。
【００５４】
図６（ａ）に示すように、画素１の信号系統の等価回路においては、ＴＦＴ１０を介してソース線Ｓｙと接続された画素電極２が、対向電極Ｃｎｔｘ及び前段のゲート線Ｇｘ−１と、それぞれ、液晶容量２０及び蓄積容量３０を介して接続されている。また、ＴＦＴ１０のドレイン及びこの延長部分たる画素電極２と当該段のゲート線Ｇｘとの間には寄生容量Ｃｇｄが存在する。従って、液晶容量２０及び蓄積容量３０の容量を、それぞれ、Ｃｌｃ及びＣｓｔとすると、画素電極重畳電圧ΔＶｄは、
ΔＶｄ＝（Ｃｓｔ／（Ｃｌｃ＋Ｃｇｄ＋Ｃｓｔ））Ｖａｒ・・・式（１）
となる。
【００５５】
ここで、これらの数値の具体例を示すと、ΔＶｄは３Ｖ、Ｃｓｔは０．４〜０．５ｐＦ、Ｃｌｃは０．４〜０．５ｐＦ、Ｃｇｄは０．００４〜０．００５ｐＦ、Ｖａｒは前述の通り６Ｖである。
【００５６】
一方、逆転移電圧と表示時における電圧との関係は６（ｃ）に示すようになっている。すなわち、ノーマリホワイトモードの場合、表示部の透過率は液晶印加電圧が増大するに連れて低下する。従って、白表示電圧Ｖｗが表示時における下限電圧として設定され、黒表示電圧Ｖｂが表示時における上限電圧として設定されている。この白表示電圧Ｖｗから黒表示電圧Ｖｂに至る電圧範囲Ｒ１が映像信号に応じて液晶印加電圧が取り得る電圧範囲である。そして、逆転移電圧、すなわち、一定期間以上これ以上の電圧が印加されないとＯＣＢモードの液晶層２１０が逆転移を起こす閾値電圧Ｖｔが、この表示電圧範囲Ｒ１内に存在する。従って、映像信号によって書き込まれた液晶印加電圧だけでは、それが逆転移電圧Ｖｔを一定期間以上下回る場合には、液晶層２１０が逆転移することになる。しかし、本実施の形態では、画素電極重畳電圧ΔＶｄが、画素電圧Ｖｄｘひいては液晶印加電圧に重畳されるので、この画素電極重畳電圧ΔＶｄを｜Ｖｔ−Ｖｗ｜より大きく設定することにより、液晶印加電圧が取り得る電圧範囲は、逆転移電圧Ｖｔを上回る電圧範囲Ｒ２へと移動し、それにより、液晶層２１０の逆転移を防止することができる。この画素電極重畳電圧ΔＶｄは１Ｖ以上とするのが望ましい。また、このとき、電圧範囲Ｒ２が黒表示電圧Ｖｂ以上の電圧範囲を含むことが望ましい。このようにすると、液晶印加電圧が黒表示電圧Ｖｂ以上となった場合には、画面に黒が表示されることになり、動画の切れが向上するからである。
【００５７】
また、図６（ｃ）から判るように、画素電極重畳電圧ΔＶｄを画素電圧Ｖｄｘに重畳すると液晶パネル２００の透過率が低下することから、重畳期間Ｔａｒは短い程良い。本件発明者の実験によると、重畳期間Ｔａｒがフレーム期間Ｔｆの１０％以上であれば、好ましい映像表示が可能であることが確認されている。さらには、重畳期間Ｔａｒがフレーム期間Ｔｆの５０％以上であれば、動画ボケを防止する効果が得られる。
【００５８】
なお、図５においてゲート信号Ｖｇｘの重畳電圧Ｖａｒの極性を、ソース信号の極性に一致するよう設定したが、これは画素設計や電圧設定に応じて適宜設定することができ、必ずしも一致させる必要はない。
【００５９】
また、本実施の形態では蓄積容量３０を前段ゲート型としたが、蓄積容量を画素電極２と後段のゲート線Ｇｘ＋１との間に形成する後段ゲート型としてもよい。
【００６０】
また、本実施の形態においては、１つのゲート線単位で重畳電圧Ｖａｒを印加しているが、隣接するあるいは離隔した複数のゲート線単位で重畳電圧Ｖａｒを印加してもよい。つまり、１つのゲート線毎に異なるタイミングで重畳電圧Ｖａｒを印加するのではなく、複数のゲート線毎に異なるタイミングで重畳電圧Ｖａｒを印加してもよい。この場合、その印加される全ての重畳電圧Ｖａｒの極性は、正の極性及び負の極性が略半数ずつであることが望ましい。これは、画素電圧の極性などによっては、対向電極への電圧カップリングの影響を取り除くために、重畳電圧Ｖａｒの極性が全て同じではない方がよい場合が多いからである。
【００６１】
また、本実施の形態ではノーマリホワイトモードとしたが、ノーマリブラックモードとすることもできる。この場合、図６（ｄ）に示すように、白表示電圧Ｖｗと黒表示電圧Ｖｂとが入れ替わるが、その他の点はノーマリホワイトモードの場合と同様である。
【００６２】
以上に説明したように、本実施の形態の液晶表示装置及びその駆動方法によれば、画素における保持期間中に画素電極重畳電圧ΔＶを画素電圧に一時的に重畳することによって、ＯＣＢ液晶の逆転移を防止することができる。なお、以降、この画素電極重畳電圧ΔＶのような液晶層２１０の逆転移を防止するための電圧を逆転移防止電圧と呼ぶ。
実施の形態２
図７は本発明の実施の形態２に係る液晶表示装置におけるゲート信号、画素電圧、及び対向電圧の変化を示す波形図である。図７において図５と同一符号は同一又は相当する部分を示す。
【００６３】
図７に示すように、本実施の形態は、実施の形態１とは異なり、ゲート信号Ｖｇ１〜Ｖｇｎに重畳電圧Ｖａｒを重畳する重畳期間Ｔａｒを、時間軸上においてフレーム期間Ｔｆ内に対し一定位置に位置するよう設定したものである。その他の点は実施の形態１と同様である。重畳期間Ｔａｒは、ここでは、フレーム期間Ｔｆの末尾に位置するよう設定されている。そして、書き込み期間Ｔｗは、フレーム期間Ｔｆから重畳期間Ｔａｒを除いた期間を行数ｎに等分した長さに設定されている。このような構成とすると、全てのゲート信号Ｇ１〜Ｇｎにおいて同時に重畳電圧Ｖａｒが重畳されるので、下記変形例に示すように、バックライトをこの重畳電圧Ｖａｒの重畳に合わせて暗くすることによりシャープな映像を得ることが可能になる。また、重畳期間Ｔａｒがフレーム期間Ｔｆの末尾に位置するので、これを映像信号１１０のブランキング期間内に位置させることができ、それにより、映像の表示に支障を来たすことなく重畳電圧Ｖａｒを重畳することができる。
【００６４】
次に、本実施の形態の変形例を説明する。本変形例では、図１において、点線で示すように、駆動制御部１０１のクロック信号１２１がバックライト輝度制御部１０４に入力され、バックライト輝度制御部１０４が、このクロック信号１２１に基づいて、重畳期間Ｔａｒに渡ってバックライト１０５の輝度を下げあるいはバックライト１０５を消す。これにより、映像表示時と重畳期間Ｔａｒとのコントラスト比が上がり、よりシャープな映像表示が可能となる。その結果、液晶表示装置の表示上の課題の一つである、特にテレビなどの動画表示時におけるボケを低減することができる。
実施の形態３
図８は本発明の実施の形態３に係る液晶表示装置の構成を示す機能ブロック図、図９は図８の液晶表示装置におけるゲート信号、画素電圧、及び対向電圧の変化を示す波形図である。図８及び図９において、それぞれ、図１及び図５と同一符号は同一又は相当する部分を示す。
【００６５】
図８に示すように、本実施の形態は、実施の形態１と異なり、制御駆動部１０１のクロック信号１２２が対向電圧制御部１０６に入力されている。その一方、画素電極とゲート線Ｇｘとの間には蓄積容量が形成されておらず、従って、図１の蓄積容量形成のみを目的とした１段目のゲート線Ｇ０も設けられてはいない。これ以外の点は、実施の形態１と同様である。なお、必要に応じて蓄積容量を形成しても良い。
【００６６】
次に、以上のように構成された液晶表示装置１００の動作（駆動方法）を説明する。
【００６７】
図８及び図９に示すように、対向電圧制御部１０６は、保持期間Ｔｈ内の重畳期間Ｔａｒに渡って、対向電圧Ｖｃｎｔｘに重畳電圧Ｖａｒを重畳するようにこれを制御する。重畳期間Ｔａｒは、実施の形態２と同様に、フレーム期間Ｔｆに対し時間軸上一定位置に位置するよう設定されており、具体的には、フレーム期間Ｔｆの末尾に設定されている。重畳電圧Ｖａｒの極性は、ソース信号の極性と反対である。つまり、正フレームでは負の極性の重畳電圧Ｖａｒが重畳され、負フレームでは正の極性の重畳電圧Ｖａｒが重畳される。その結果、この重畳電圧Ｖａｒがそのまま液晶印加電圧に重畳され、実施の形態１における画素電極重畳電圧ΔＶｄと同様に作用する。従って、この重畳電圧（逆転移防止電圧）Ｖａｒを実施の形態１における画素電極重畳電圧ΔＶｄと同様に設定することにより、液晶層２１０の逆転移を防止することができる。また、本実施の形態では、画素電極の電位を変化させないので、重畳期間Ｔａｒの前後において画素電極の電位の変動が少ない利点がある。
【００６８】
また、本実施の形態の変形例として、図８において、点線で示すように、駆動制御部１０１のクロック信号１２１をバックライト輝度制御部１０４に入力し、バックライト輝度制御部１０４が、このクロック信号１２１に基づいて、重畳期間Ｔａｒに渡ってバックライト１０５の輝度を下げあるいはバックライト１０５を消すよう構成してもよい。それにより、映像表示時と重畳期間Ｔａｒとのコントラスト比が上がり、よりシャープな映像表示が可能となる。
【００６９】
なお、重畳期間Ｔａｒを実施の形態１と同様に、保持期間Ｔｈに対し時間軸上一定位置に位置するよう設定してもよい。この場合、対向電極Ｃｎｔ１〜Ｃｎｔｎを、ＴＦＴ基板のマトリクス状の画素電極２の行に対応するように帯状にｎ本形成するとともに、図１０に示すように、対向電圧制御部１０６に各対向電極Ｃｎｔ１〜Ｃｎｔｎを互い並列に接続し、対向電圧制御部１０６によって各対向電極Ｃｎｔ１〜Ｃｎｔｎの対向電圧Ｖｃｎｔ１〜Ｖｃｎｔｎを個別に制御すればよい。
実施の形態４
図１１は本発明の実施の形態４に係る液晶表示装置におけるゲート信号、画素電圧、及び対向電圧の変化を示す波形図である。図１１において、図７及び図９と同一符号は同一又は相当する部分を示す。
【００７０】
本実施の形態は実施の形態２と実施の形態３とを組み合わせたもので、液晶表示装置が、図８の構成において、図１に示す、第１行の画素の画素電極との間に蓄積容量３０を形成するためのゲート線Ｇ０を有している。
【００７１】
以上のように構成された液晶表示装置１００では、図１、図８及び図１１に示すように、ゲートドライバ１０２が、フレーム期間Ｔｆの末尾に設定された重畳期間Ｔａｒに渡って第１の重畳電圧Ｖａｒ１をゲート信号Ｖｇ１〜Ｖｇｎに重畳し、対向電圧制御部１０６が、重畳期間Ｔａｒに渡って第２の重畳電圧Ｖａｒ２を対向電圧Ｖｃｎｔ１〜Ｖｃｎｔｎに重畳する。これにより、液晶印加電圧は、第１の重畳電圧Ｖａｒ１による画素電極重畳電圧ΔＶｄと第２の重畳電圧Ｖａｒ２とが重畳されたものとなる。従って、この画素電極重畳電圧ΔＶｄと第２の重畳電圧Ｖａｒ２とを加えた電圧を図６（ｃ），（ｄ）の｜Ｖｔ−Ｖｗ｜より大きく設定することにより、液晶層２１０の逆転移を防止することができる。また、本実施の形態では、画素電極重畳電圧ΔＶｄと第２の重畳電圧Ｖａｒ２との２つの電圧を逆転移防止電圧として用いることができるので、逆転移防止電圧を実施の形態１及び２よりも高くすることができるため、重畳期間Ｔａｒを短縮することができる。
【００７２】
また、実施の形態３と同様に、バックライト輝度制御部１０４が駆動制御部１０１からのクロック信号１２１に基づいて重畳期間Ｔａｒ中にバックライト１０５を暗くするよう構成することにより、よりシャープな映像表示を得ることができる。
【００７３】
また、重畳期間Ｔａｒを実施の形態１と同様に、保持期間Ｔｈに対し時間軸上一定位置に位置するよう設定してもよい。
実施の形態５
実施の形態１、２、及び４では、蓄積容量がゲート線上に形成された（以下、オンゲート型という）液晶表示装置に本発明を適用する場合を例示したが、本発明の実施の形態５は、蓄積容量が共通線上に形成された（以下、共通線型という）液晶表示装置に本発明を適用する場合を例示したものである。
【００７４】
図１２は本発明の実施の形態５に係る液晶表示装置の構成を示す機能ブロック図、図１３は図１２の液晶表示装置の液晶パネルの構成を示す平面図、図１４は図１３のＸＩＶ−ＸＩＶ断面図である。図１２、図１３、及び図１４において、それぞれ、図１、図３、及び図４と同一符号は同一又は相当する部分を示す。
【００７５】
図１２〜図１４に示すように、本実施の形態では、実施の形態１と異なり、画素１の行毎に、ゲート線Ｇｘに平行に共通線Ｃｏｍｘが形成されている。この共通線Ｃｏｍｘは、絶縁層４を介して画素電極２の下方に位置するように配設され、同一行に属する各画素電極２との間に蓄積容量（制御容量）３０がそれぞれ形成されている。従って、図１の蓄積容量形成のみを目的としたゲート線Ｇ０は形成されいない。そして、各共通線Ｃｏｍ１〜Ｃｏｍｎの電位（以下、共通電圧という）Ｖｃｏｍ１〜Ｖｃｏｍｎを、共通電圧制御部１０７が制御駆動部１０１のクロック信号に基づいて制御している。これ以外の点は、実施の形態１と同様である。
【００７６】
次に、以上のように構成された液晶表示装置の動作（駆動方法）を図１２〜図１５を参照して説明する。図１５は図１２の液晶表示装置におけるゲート信号、画素電圧、対向電圧、及び共通電圧の変化を示す波形図であり、図１５において図５と同一符号は同一又は相当する部分を示す。また、図１５において、共通電圧Ｖｃｏｍｘは、重畳期間Ｔａｒを除き、対向電圧Ｖｃｎｔｘと同じ一定電圧になるよう設定されており、図１５では、この共通電圧Ｖｃｏｍｘを重畳期間Ｔａｒにおいてのみ一点鎖線で示している。もちろん、重畳期間Ｔａｒ以外における共通電圧Ｖｃｏｍｘを対向電圧Ｖｃｎｔｘと異なる一定電圧に設定しても構わない。
【００７７】
図１２〜図１５において、共通電圧制御部１０７は、保持期間Ｔｈ内の重畳期間Ｔａｒに渡って、共通電圧Ｖｃｏｍｘに重畳電圧Ｖａｒを重畳するようにこれを制御する。重畳期間Ｔａｒは、実施の形態１と同様に、時間軸において保持期間Ｔｈの略中央に位置に位置するよう設定されている。重畳電圧Ｖａｒの極性は、ソース信号から画素電極に書き込まれた画素電圧Ｖｄｘの極性と同一である。これにより、重畳期間Ｔｆが到来すると、共通電圧Ｖｃｏｍｘが重畳電圧Ｖａｒだけ変化し、この重畳電圧Ｖａｒによる変化の影響を蓄積容量３０を介して受けて、画素電圧Ｖｄｘが変化する。この画素電圧Ｖｄｘの変化、すなわち画素電極重畳電圧ΔＶｄは実施の形態１で述べた式（１）で与えられる。
【００７８】
従って、この画素電極重畳電圧ΔＶｄを、図６（ｃ），（ｄ）の｜Ｖｔ−Ｖｗ｜より大きく設定することにより、液晶層２１０の逆転移を防止することができる。
【００７９】
なお、本実施の形態においては、１つの共通線単位で重畳電圧Ｖａｒを印加しているが、隣接するあるいは離隔した複数の共通線単位で重畳電圧Ｖａｒを印加してもよい。
実施の形態６
図１６は本発明の実施の形態６に係る液晶表示装置におけるゲート信号、画素電圧、対向電圧、及び共通電圧の変化を示す波形図である。図１６において図１５と同一符号は同一又は相当する部分を示す。また、図１６において、共通電圧Ｖｃｏｍｘは、重畳期間Ｔａｒを除き、対向電圧Ｖｃｎｔｘと同じ一定電圧になるよう設定されており、図１６では、この共通電圧Ｖｃｏｍｘを重畳期間Ｔａｒにおいてのみ一点鎖線で示している。
【００８０】
図１６に示すように、本実施の形態は、実施の形態５とは異なり、共通電圧Ｖｃｏｍ１〜Ｖｃｏｍｎに重畳電圧Ｖａｒを重畳する重畳期間Ｔａｒを、時間軸上においてフレーム期間Ｔｆ内に対し一定位置に位置するよう設定したものである。その他の点は実施の形態５と同様である。重畳期間Ｔａｒは、ここでは、フレーム期間Ｔｆの末尾に位置するよう設定されている。そして、書き込み期間Ｔｗは、フレーム期間Ｔｆから重畳期間Ｔａｒを除いた期間を行数ｎに等分した長さに設定されている。このような構成とすると、全ての共通電圧Ｖｃｏｍ１〜Ｖｃｏｍｎにおいて同時に重畳電圧Ｖａｒが重畳されるので、下記変形例に示すように、バックライトをこの重畳電圧Ｖａｒの重畳に合わせて暗くすることによりシャープな映像を得ることが可能になる。また、重畳期間Ｔａｒがフレーム期間Ｔｆの末尾に位置するので、これを映像信号１１０のブランキング期間内に位置させることができ、それにより、映像の表示に支障を来たすことなく、重畳電圧Ｖａｒを重畳することができる。
【００８１】
次に、本実施の形態の変形例を説明する。本変形例では、図１２において、点線で示すように、駆動制御部１０１のクロック信号１２１がバックライト輝度制御部１０４に入力され、バックライト輝度制御部１０４が、このクロック信号１２１に基づいて、重畳期間Ｔａｒに渡ってバックライト１０５の輝度を下げあるいはバックライト１０５を消す。これにより、映像表示時と重畳期間Ｔａｒとのコントラスト比が上がり、よりシャープな映像表示が可能となる。
実施の形態７
図１７は本発明の実施の形態７に係る液晶表示装置におけるゲート信号、画素電圧、対向電圧、及び共通電圧の変化を示す波形図である。図１７において、図９及び図１６と同一符号は同一又は相当する部分を示す。また、図１７において、共通電圧Ｖｃｏｍｘは、重畳期間Ｔａｒを除き、対向電圧Ｖｃｎｔｘと同じ一定電圧になるよう設定されており、図１７では、この共通電圧Ｖｃｏｍｘを重畳期間Ｔａｒにおいてのみ一点鎖線で示している。
【００８２】
本実施の形態は実施の形態３と実施の形態６とを組み合わせたもので、対向電圧制御部１０６が、図１２に点線で示すように、駆動制御１０１からクロック信号１２２を入力されている。
【００８３】
以上のように構成された液晶表示装置１００では、図１２及び図１７に示すように、共通電圧制御部１０７が、フレーム期間Ｔｆの末尾に設定された重畳期間Ｔａｒに渡って第１の重畳電圧Ｖａｒ１を共通電圧Ｖｃｏｍ１〜Ｖｃｏｍｎに重畳し、対向電圧制御部１０６が、重畳期間Ｔａｒに渡って第２の重畳電圧Ｖａｒ２を対向電圧Ｖｃｎｔ１〜Ｖｃｎｔｎに重畳する。これにより、液晶印加電圧は、第１の重畳電圧Ｖａｒ１による画素電極重畳電圧ΔＶｄと第２の重畳電圧Ｖａｒ２とが重畳されたものとなる。従って、この画素電極重畳電圧ΔＶｄと第２の重畳電圧Ｖａｒ２とを加えた電圧を図６（ｃ），（ｄ）の｜Ｖｔ−Ｖｗ｜より大きく設定することにより、液晶層２１０の逆転移を防止することができる。また、本実施の形態では、画素電極重畳電圧ΔＶｄと第２の重畳電圧Ｖａｒ２との２つの電圧を逆転移防止電圧として用いることができるので、逆転移防止電圧を実施の形態３及び６よりも高くすることができるため、重畳期間Ｔａｒを短縮することができる。
【００８４】
また、実施の形態３と同様に、バックライト輝度制御部１０４が駆動制御部１０１からのクロック信号１２１に基づいて重畳期間Ｔａｒ中にバックライト１０５を暗くするよう構成することにより、よりシャープな映像表示を得ることができる。
【００８５】
また、重畳期間Ｔａｒを実施の形態５と同様に、保持期間Ｔｈに対し時間軸上一定位置に位置するよう設定してもよい。
実施の形態８
図１８は本発明の実施の形態８に係る液晶表示装置の構成を示す機能ブロック図、図１９は図１８の液晶表示装置の液晶パネルの構成を示す平面図、図２０は図１９のＸＸ−ＸＸ断面図である。図１８〜図２０において、図１〜図４、及び図１２〜図１４と同一符号は同一又は相当する部分を示す。
【００８６】
本実施の形態は、実施の形態１と実施の形態５とを組み合わせたもので、実施の形態１の構成において、さらに、実施の形態５で述べたように、画素１の行毎に、ゲート線Ｇｘに平行に共通線Ｃｏｍｘが形成され、この共通線Ｃｏｍｘと同一行に属する各画素電極２との間に蓄積容量がそれぞれ形成されている。本実施の形態では、画素電極２とゲート線Ｇｘとの間に形成された蓄積容量を第１の蓄積容量３１と呼び、画素電極２と共通線Ｃｏｍｘとの間に形成された蓄積容量を第２の蓄積容量３２と呼ぶ。
【００８７】
次に、以上のように構成された液晶表示装置の動作（駆動方法）を図１８〜図２２を参照して説明する。図２１は図１８の液晶表示装置の画素における信号系統の等価回路を示す回路図、図２２は図１８の液晶表示装置におけるゲート信号、画素電圧、対向電圧、及び共通電圧の変化を示す波形図である。図２１において図６（ａ）と同一符号は同一又は相当する部分を示す。また、図２２において図５及び図１５と同一符号は同一又は相当する部分を示す。さらに、図２２において、共通電圧Ｖｃｏｍｘは、重畳期間Ｔａｒを除き、対向電圧Ｖｃｎｔｘと同じ一定電圧になるよう設定されており、図２２では、この共通電圧Ｖｃｏｍｘを重畳期間Ｔａｒにおいてのみ一点鎖線で示している。
【００８８】
図１８〜図２２において、ゲートドライバ１０２は、保持期間Ｔｈ内の重畳期間Ｔａｒに渡って、ゲート信号Ｖｇｘ−１に第１の重畳電圧Ｖａｒ１を重畳し、共通電圧制御部１０７は、その重畳期間Ｔａｒに渡って、共通電圧Ｖｃｏｍｘに第２の重畳電圧Ｖａｒ２を重畳するようにこれを制御する。重畳期間Ｔａｒは、実施の形態１と同様に、時間軸において保持期間Ｔｈの略中央に位置に位置するよう設定されている。第１、第２の重畳電圧Ｖａｒ１，Ｖａｒ２の極性は、共に、ソース信号から画素電極に書き込まれた画素電極Ｖｄｘの極性と同一である。これにより、重畳期間Ｔｆが到来すると、ゲート信号Ｖｇｘ−１及び共通電圧Ｖｃｏｍｘが、それぞれ、第１の重畳電圧Ｖａｒ１及び第２の重畳電圧Ｖａｒ２だけ変化し、この第１の重畳電圧Ｖａｒ１及び第２の重畳電圧Ｖａｒ２による変化の影響を、それぞれ、第１の蓄積容量３１及び第２の蓄積容量３２を介して受けて、画素電圧Ｖｄｘが変化する。この画素電圧Ｖｄｘの変化たる画素電極重畳電圧（逆転移防止電圧）ΔＶｄは以下のようになる。
【００８９】
図２１に示すように、画素１の信号系統の等価回路においては、第１の蓄積容量３１と第２の蓄積容量３２とが互いに並列に接続されている。従って、第１の蓄積容量３１及び第２の蓄積容量３２の容量を、それぞれ、Ｃｓｔ１及びＣｓｔ２とすると、画素電極重畳電圧ΔＶｄは、
ΔＶｄ＝（Ｃｓｔ１／Ｃｔ）Ｖａｒ１＋（Ｃｓｔ２／Ｃｔ）Ｖａｒ２・・・式（２）
となる。
【００９０】
ここで、Ｃｔ＝Ｃｇｄ＋Ｃｌｃ＋Ｃｓｔ１＋Ｃｓｔ２であり、Ｃｇｄ及びＣｌｃは、実施の形態１で説明したように、それぞれ、ＴＦＴ１０のゲート−ドレイン間の寄生容量及び液晶容量２０の容量である。
【００９１】
従って、この画素電極重畳電圧ΔＶｄを、図６（ｃ），（ｄ）の｜Ｖｔ−Ｖｗ｜より大きく設定することにより、液晶層２１０の逆転移を防止することができる。
【００９２】
本実施の形態において、ゲート線Ｇｘのみに重畳電圧を重畳した場合には実施の形態１と、共通電圧のみに重畳電圧を重畳した場合には実施の形態５と同じになる。本実施の形態では、第１の重畳電圧Ｖａｒ１と第２の重畳電圧Ｖａｒ２とが同じタイミングで同じ期間だけ重畳されている。このように第１の重畳電圧Ｖａｒ１と第２の重畳電圧Ｖａｒ２とが少なくとも部分的に重なり合っているときには、より高い電圧を画素電圧に重畳することができるので、ゲートドライバ１０２や共通電圧制御部１０７の耐圧が低い場合に逆転移を防止するのに有効である。また、それらの耐圧が充分に高い場合には、第１の重畳電圧Ｖａｒ１と第２の重畳電圧Ｖａｒ２とを離隔した期間に印加して、１フレーム期間Ｔｆ内に二度重畳電圧を重畳することでゲートドライバ１０２及び共通電圧制御部１０７の負荷を低減することができる。
【００９３】
なお、本実施の形態においては、１つのゲート線及び共通線単位でそれぞれ第１、第２の重畳電圧Ｖａｒ１，Ｖａｒ２を印加しているが、隣接するあるいは離隔した複数のゲート線及び共通線単位でそれぞれ第１、第２の重畳電圧Ｖａｒ１，Ｖａｒ２重畳電圧Ｖａｒを印加してもよい。
実施の形態９
図２３は本発明の実施の形態９に係る液晶表示装置におけるゲート信号、画素電圧、対向電圧、及び共通電圧の変化を示す波形図である。図２３において図２２と同一符号は同一又は相当する部分を示す。また、図２３において、共通電圧Ｖｃｏｍｘは、重畳期間Ｔａｒを除き、対向電圧Ｖｃｎｔｘと同じ一定電圧になるよう設定されており、図２３では、この共通電圧Ｖｃｏｍｘを重畳期間Ｔａｒにおいてのみ一点鎖線で示している。
【００９４】
図２３に示すように、本実施の形態は、実施の形態８とは異なり、ゲート信号Ｖｇ１〜Ｖｇｎ及び共通電圧Ｖｃｏｍ１〜Ｖｃｏｍｎに、それぞれ、第１の重畳電圧Ｖａｒ１及び第２の重畳電圧Ｖａｒ２を重畳する重畳期間Ｔａｒを、時間軸上においてフレーム期間Ｔｆ内に対し一定位置に位置するよう設定したものである。その他の点は実施の形態８と同様である。重畳期間Ｔａｒは、ここでは、フレーム期間Ｔｆの末尾に位置するよう設定されている。そして、書き込み期間Ｔｗは、フレーム期間Ｔｆから重畳期間Ｔａｒを除いた期間を行数ｎに等分した長さに設定されている。このような構成とすると、全ての共通電圧Ｖｃｏｍ１〜Ｖｃｏｍｎにおいて同時に重畳電圧Ｖａｒが重畳されるので、下記変形例に示すように、バックライトをこの重畳電圧Ｖａｒの重畳に合わせて暗くすることによりシャープな映像を得ることが可能になる。また、重畳期間Ｔａｒがフレーム期間Ｔｆの末尾に位置するので、これを映像信号１１０のブランキング期間内に位置させることができ、それにより、映像の表示に支障を来たすことなく重畳電圧Ｖａｒを重畳することができる。
【００９５】
次に、本実施の形態の変形例を説明する。本変形例では、図１８において、点線で示すように、駆動制御部１０１のクロック信号１２１がバックライト輝度制御部１０４に入力され、バックライト輝度制御部１０４が、このクロック信号１２１に基づいて、重畳期間Ｔａｒに渡ってバックライト１０５の輝度を下げあるいはバックライト１０５を消す。これにより、映像表示時と重畳期間Ｔａｒとのコントラスト比が上がり、よりシャープな映像表示が可能となる。
実施の形態１０
図２４は本発明の実施の形態１０に係る液晶表示装置におけるゲート信号、画素電圧、対向電圧、及び共通電圧の変化を示す波形図である。図２４において、図９及び図２３と同一符号は同一又は相当する部分を示す。また、図２４において、共通電圧Ｖｃｏｍｘは、重畳期間Ｔａｒを除き、対向電圧Ｖｃｎｔｘと同じ一定電圧になるよう設定されており、図２４では、この共通電圧Ｖｃｏｍｘを重畳期間Ｔａｒにおいてのみ一点鎖線で示している。
【００９６】
本実施の形態は実施の形態３と実施の形態８とを組み合わせたもので、対向電圧制御部１０６が、図１８に点線で示すように、駆動制御１０１からクロック信号１２２を入力されている。
【００９７】
以上のように構成された液晶表示装置１００では、図１８及び図２４に示すように、ゲートドライバ１０２がフレーム期間Ｔｆの末尾に設定された重畳期間Ｔａｒに渡って第１の重畳電圧Ｖａｒ１をゲート信号Ｖｇ１〜Ｖｇｎに重畳し、共通電圧制御部１０７がその重畳期間Ｔａｒに渡って第２の重畳電圧Ｖａｒ２を共通電圧Ｖｃｏｍ１〜Ｖｃｏｍｎに重畳し、かつ対向電圧制御部１０６がその重畳期間Ｔａｒに渡って第３の重畳電圧Ｖａｒ３を対向電圧Ｖｃｎｔ１〜Ｖｃｎｔｎに重畳する。これにより、液晶印加電圧は、第１、第２の重畳電圧Ｖａｒ１，Ｖａｒ２による画素電極重畳電圧ΔＶｄと第３の重畳電圧Ｖａｒ３とが重畳されたものとなる。従って、この画素電極重畳電圧ΔＶｄと第３の重畳電圧Ｖａｒ３とを加えた電圧を図６（ｃ），（ｄ）の｜Ｖｔ−Ｖｗ｜より大きく設定することにより、液晶層２１０の逆転移を防止することができる。また、本実施の形態では、第１〜第３の重畳電圧Ｖａｒ１〜Ｖａｒ３の３つの重畳電圧を逆転移防止電圧に利用できるので、逆転移防止電圧をより高くすることができる。そのため、重畳期間Ｔａｒをより短縮することができる。
【００９８】
また、実施の形態９と同様に、バックライト輝度制御部１０４が駆動制御部１０１からのクロック信号１２１に基づいて重畳期間Ｔａｒ中にバックライト１０５を暗くするよう構成することにより、よりシャープな映像表示を得ることができる。
【００９９】
また、重畳期間Ｔａｒを、実施の形態８と同様に、保持期間Ｔｈに対し時間軸上一定位置に位置するよう設定してもよい。
【０１００】
なお、前記実施の形態２〜１０において、実施の形態１で述べたように、重畳期間がフレーム期間Ｔｆの１０％以上であれば、好ましい映像表示が可能であり、５０％以上であれば、動画ボケを防止する効果が得られる。また、ノーマリブラックモードとすることもできる。
【０１０１】
また、前記実施の形態２、４〜１０において、ゲート信号Ｖｇｘ及び共通電圧Ｖｃｏｍｘの重畳電圧Ｖａｒ，Ｖａｒ１，Ｖａｒ２の極性は、ソース信号の極性に必ずしも一致させる必要はない。また、その印加される全ての重畳電圧Ｖａｒ，Ｖａｒ１，Ｖａｒ２の極性は、正の極性及び負の極性が略半数ずつであることが望ましい。また、蓄積容量を画素電極２と後段のゲート線Ｇｘ＋１との間に形成する後段ゲート型としてもよい。
【０１０２】
また、前記実施の形態３、４、７、９、１０において、対向電圧Ｖｃｎｔｘにおける重畳期間Ｔａｒを、フレーム期間Ｔｆ内の時間軸上の一定位置に設定する場合には、各対向電圧Ｖｃｎｔｘを独立して制御する必要がないので、画素１の行毎に対向電極Ｃｎｔｘを設ける必要はなく、対向基板２０１の略全面に渡って１つの対向電極を設けてもよい。これは、実施の形態１、２、５、６、８においても同様であることは言うまでもない。
【０１０３】
また、上記実施の形態１〜１０では、逆転移防止電圧が１フレーム期間毎に重畳されるが、例えば、映像信号のフレーム周波数が高いような場合には、逆転移防止電圧が複数フレーム期間毎に１回重畳されるようにしてもよい。
【０１０４】
また、上記実施の形態１〜１０では、スイッチング素子１０としてＴＦＴを用いたがこれに代えて、ダイオードを用いてもよい。
【０１０５】
【発明の効果】
本発明は以上に説明したような形態で実施され、非表示時とは異なる配向状態に転移させて表示を行う液晶モードの液晶表示装置において、逆転移の発生を抑制しつつ映像を表示することができるという効果を奏する。
【図面の簡単な説明】
【図１】本発明の実施の形態１に係る液晶表示装置の構成を示す機能ブロック図である。
【図２】図１の液晶表示装置の液晶パネルの構成及び液晶層の配向状態を示す断面図であって、（ａ）は無電圧下における配向状態を示す図、（ｂ）は表示時の下限電圧下における配向状態を示す図、（ｃ）は表示時の上限電圧下における配向状態を示す図である。
【図３】図１の液晶表示装置の液晶パネルの構成を示す平面図である。
【図４】図３のＩＶ−ＩＶ断面図である。
【図５】図１の液晶表示装置におけるゲート信号、画素電極、及び対向電極の電位の変化を示す波形図である。
【図６】逆転移防止電圧を説明するための図であって、（ａ）は画素における信号系統の等価回路を示す回路図、（ｂ）はゲート信号における重畳電圧と画素電極に重畳される電圧との関係を示すタイミングチャート、（ｃ）はノーマリホワイトモードにおける液晶印加電圧に対する液晶パネルの透過率の変化を示すグラフ、（ｄ）はノーマリブラックモードにおける液晶印加電圧に対する液晶パネルの透過率の変化を示すグラフである。
【図７】本発明の実施の形態２に係る液晶表示装置におけるゲート信号、画素電圧、及び対向電圧の変化を示す波形図である。
【図８】本発明の実施の形態３に係る液晶表示装置の構成を示す機能ブロック図である。
【図９】図８の液晶表示装置におけるゲート信号、画素電圧、及び対向電圧の変化を示す波形図である。
【図１０】本発明の実施の形態３の変形例に係る液晶表示装置の構成を示す機能ブロック図である。
【図１１】本発明の実施の形態４に係る液晶表示装置におけるゲート信号、画素電圧、及び対向電圧の変化を示す波形図である。
【図１２】本発明の実施の形態５に係る液晶表示装置の構成を示す機能ブロック図である。
【図１３】図１２の液晶表示装置の液晶パネルの構成を示す平面図である。
【図１４】図１３のＸＩＶ−ＸＩＶ断面図である。
【図１５】図１２の液晶表示装置におけるゲート信号、画素電圧、対向電圧、及び共通電圧の変化を示す波形図である。
【図１６】本発明の実施の形態６に係る液晶表示装置におけるゲート信号、画素電圧、対向電圧、及び共通電圧の変化を示す波形図である。
【図１７】本発明の実施の形態７に係る液晶表示装置におけるゲート信号、画素電圧、対向電圧、及び共通電圧の変化を示す波形図である。
【図１８】本発明の実施の形態８に係る液晶表示装置の構成を示す機能ブロック図である。
【図１９】図１８の液晶表示装置の液晶パネルの構成を示す平面図である。
【図２０】図１９のＸＸ−ＸＸ断面図である。
【図２１】図１８の液晶表示装置の画素における信号系統の等価回路を示す回路図である。
【図２２】図１８の液晶表示装置におけるゲート信号、画素電圧、対向電圧、及び共通電圧の変化を示す波形図である。
【図２３】本発明の実施の形態９に係る液晶表示装置におけるゲート信号、画素電圧、対向電圧、及び共通電圧の変化を示す波形図である。
【図２４】本発明の実施の形態１０に係る液晶表示装置におけるゲート信号、画素電圧、対向電圧、及び共通電圧の変化を示す波形図である。
【符号の説明】
１  画素
２  画素電極
３  ガラス基板
４  絶縁層
１０  ＴＦＴ
２０  液晶容量
３０  蓄積容量
３１  第１の蓄積容量
１０１  駆動制御部
３２  第２の蓄積容量
１００    液晶表示装置
１０１    駆動制御部
１０２    ゲートドライバ
１０３    ソースドライバ
１０４    バックライト輝度制御部
１０５    バックライト
１０６    対向電圧制御部
１０７    共通電圧制御部
１１０    映像信号
１２１，１２２    クロック信号
２００    液晶パネル
２０１    対向基板
２０２    ＴＦＴ基板
２０３，２０４    位相差板
２０５，２０６    偏光板
２１０    液晶層
２１０ａ  液晶分子
Ｃｇｄ  ゲート−ドレイン間寄生容量
Ｃｌｃ  液晶容量の容量
Ｃｎｔ１〜Ｃｎｔｎ    対向電極
Ｃｏｍ１〜Ｃｏｍｎ    共通線
Ｃｓｔ，Ｃｓｔ１，Ｃｓｔ２    蓄積容量の容量
Ｇ０〜Ｇｎ    ゲート線
Ｒ１，Ｒ２    電圧範囲
Ｓ１〜Ｓｍ    ソース線
Ｔａｒ  重畳期間
Ｔａｒ１〜Ｔａｒ３    第１〜第３の重畳期間
Ｔｆ    フレーム期間
Ｔｈ    保持期間
Ｔｗ    書き込み期間
Ｖａｒ  重畳電圧
Ｖａｒ１〜Ｖａｒ３    第１〜第３の重畳電圧
Ｖｂ    黒表示電圧
Ｖｃｎｔ１〜Ｖｃｎｔｎ  対向電圧
Ｖｃｏｍ１〜Ｖｃｏｍｎ  共通電圧
Ｖｄ１〜Ｖｄｎ  画素電圧
Ｖｇ１〜Ｖｇｎ  ゲート信号
Ｖｇｏｎ    ゲートオン電圧
Ｖｇｏｆｆ  ゲートオフ電圧
Ｖｔ    逆転移電圧
Ｖｗ    白表示電圧
ΔＶｄ    画素電圧に重畳される電圧
【図１】
0003568506.tif 000002
【図２】
0003568506.tif 000003
【図３】
0003568506.tif 000004
【図４】
0003568506.tif 000005
【図５】
0003568506.tif 000006
【図６】
0003568506.tif 000007
【図７】
0003568506.tif 000008
【図８】
0003568506.tif 000009
【図９】
0003568506.tif 000010
【図１０】
0003568506.tif 000011
【図１１】
0003568506.tif 000012
【図１２】
0003568506.tif 000013
【図１３】
0003568506.tif 000014
【図１４】
0003568506.tif 000015
【図１５】
0003568506.tif 000016
【図１６】
0003568506.tif 000017
【図１７】
0003568506.tif 000018
【図１８】
0003568506.tif 000019
【図１９】
0003568506.tif 000020
【図２０】
0003568506.tif 000021
【図２１】
0003568506.tif 000022
【図２２】
0003568506.tif 000023
【図２３】
0003568506.tif 000024
【図２４】
0003568506.tif 000025